(57)【要約】【課題】二種の注口の選択が任意に且つ極めて容易に実現され得る、コンパクトな構造の蓋付きキャップを提供すること。【解決手段】蓋付きキャップ２は、頂板部２２から上方に突出する本体吐出筒部１２からなる大径の注口１４を備えたキャップ本体４と、頂板部２２の上方及び下方に突出する蓋体吐出筒部２４からなる小径の注口を備え、キャップ本体４に連結された第一のヒンジ部２８を有し、且つ蓋体吐出筒部２４の下方の突出部分が大径の注口１４に液密に嵌合されるように構成して、キャップ本体４に着脱可能に嵌着せしめられる第一の蓋体６と、頂板部３２の下面から垂下して小径の注口に液密に嵌合される筒状栓体を備えると共に、第一のヒンジ部２８とは周方向において異なる位置において、第一の蓋体６に連結された第二のヒンジ部３６を有し、第一の蓋体６に着脱可能に嵌着せしめられる第二の蓋体８とを有している。【選択図】図３
2008222277.tif 000002
【特許請求の範囲】
【請求項１】
合成樹脂製の一体的な蓋付きキャップにして、
頂板部を上下に貫通して、該頂板部から上方に所定長さ突出する本体吐出筒部からなる大径の注口を備えた、容器の口頸部に取り付けられるキャップ本体と、
頂板部を上下に貫通して、上方及び下方にそれぞれ所定長さで突出する蓋体吐出筒部からなる、前記大径の注口よりも開口径の小さな小径の注口を備えると共に、該キャップ本体の上部周縁部の一ヶ所において該キャップ本体に一体的に連結された第一のヒンジ部を有し、且つ該蓋体吐出筒部の下方への突出部分が該キャップ本体における前記大径の注口に液密に嵌合せしめられるように構成されている一方、該キャップ本体の上部周縁部に着脱可能に嵌着せしめられるように構成された第一の蓋体と、
頂板部の下面から所定長さ垂下して、該第一の蓋体における前記小径の注口に液密に嵌合せしめられるように構成された筒状栓体を備えると共に、前記第一のヒンジ部とは周方向において異なる位置となるように、該第一の蓋体の上部周縁部に対してその一ヶ所において一体的に連結された第二のヒンジ部を有し、該第一の蓋体の上部周縁部に着脱可能に嵌着せしめられるように構成された第二の蓋体とを、
有していることを特徴とする蓋付きキャップ。
【請求項２】
前記第一及び第二のヒンジ部の配設部位に対してそれぞれ周方向において対称となる前記第一及び第二の蓋体の部位に、それぞれ、第一及び第二の指掛け部が一体的に設けられており、それら第一及び第二の指掛け部に対する操作によって、それら第一及び第二の蓋体がそれぞれ独立して開蓋せしめられるように構成されていることを特徴とする請求項１に記載の蓋付きキャップ。
【請求項３】
前記第一及び第二の指掛け部が、それぞれ、前記第一及び第二の蓋体の外周面から側方に突出せしめられた、周方向に所定長さの突起を含んで構成されていることを特徴とする請求項２に記載の蓋付きキャップ。
【請求項４】
前記第一のヒンジ部と前記第二のヒンジ部とが、相互に周方向に９０°の位相差をもって配設されていることを特徴とする請求項１乃至請求項３の何れか一つに記載の蓋付きキャップ。
【請求項５】
前記キャップ本体と前記第一の蓋体と前記第二の蓋体とが、合成樹脂の一体成形操作により、一体的に形成されていることを特徴とする請求項１乃至請求項４の何れか一つに記載の蓋付きキャップ。
【発明の詳細な説明】
【技術分野】
【０００１】
本発明は、蓋付きキャップに係り、特に、注出量の異なる二種の注口を任意に且つ迅速に選択し得る合成樹脂製の一体的な蓋付きキャップに関するものである。
【背景技術】
【０００２】
従来から、チューブや瓶を含む容器の口頸部に取り付けられるキャップとして、ヒンジによって、蓋体が一体的に連結されてなる、合成樹脂製の一体的な蓋付きキャップ、所謂スナップヒンジキャップが、各種の用途において用いられている容器に採用されてきている。そのような蓋付きキャップにあっては、蓋を開けて、容器内の液体等を注ぎ出した後であっても、その取り除いた蓋を探す必要がなく、また蓋の紛失もないところから、その利便性が良いことが認められているのである。
【０００３】
而して、そのような蓋付きキャップにあっては、例えば、特公昭６３−１７７０７号公報（特許文献１）等にも明らかにされている如く、所定の容器の口頸部に取り付けられるキャップ本体と、それに着脱可能に嵌着せしめられる蓋体とが、キャップ周方向の一ヶ所において、ヒンジにて一体的に連結されてなる構造を有していると共に、キャップ本体の頂板部（天板部）に設けられた注口を通じて、容器内の流体等が外部に注ぎ出されるようになっているのであるが、そのような構造においては、注口は一つしか設けられておらず、そのために、容器からの液体等の注出し量が常に一定量となって、それよりも注出し量を多くしたい場合や、それとは逆に少なくしたい場合の如く、異なる注出し量が要請される場合にあっては、それに充分に応えることが出来ないという問題を内在していた。
【０００４】
ところで、容器からその収容液体等の注出し量を変えるには、容器の口頸部に取り付けられているキャップ自体を取り替えて、目的とする注出し量のキャップを通じて注ぎ出すようにすることが考えられるのであるが、そのようなキャップの複数を容器毎に予め準備しておくことは、極めて利便性を欠くことに加えて、キャップの取替え作業自体も面倒となるものであって、実用性に欠けるものである。しかも、そのようなキャップの取替えには、時間がかかり、迅速性においても劣るものであった。
【０００５】
このため、特開２００４−２９９７４４号公報（特許文献２）においては、複数の吐出口を有するヒンジキャップとして、一つのキャップ本体に複数の吐出筒部を並設し、そしてそれら複数の吐出筒部のそれぞれを開閉する、独立した複数のカバーキャップを、キャップ本体に一体的にヒンジ連結してなる構造のものが、提案されている。しかしながら、そのような構造のヒンジキャップにあっては、複数のカバーキャップが、キャップ本体の異なる部位において、独立して設けられているところから、ヒンジキャップ自体が著しく大型化し、それを取り付けてなる容器の取扱い性を悪化させたり、通常の容器の口頸部には、そのまま取り付けることが出来ず、そのようなヒンジキャップの取り付けられる口頸部を大型化した容器を新たに作製する必要がある等の問題を内在している。
【０００６】
また、特開２００５−１４９６８号公報（特許文献３）においては、スナップヒンジキャップとして、そのキャップ本体と容器の口部との間に、注口の口径の異なる複数の中栓を介在せしめることにより、中栓の口径に応じて、液体等の注出し量を変更せしめ得るようにしたものが提案されているが、そこでは、その注出し量を変更する毎に、容器の口部からスナップヒンジキャップを取り外し、そして中栓を、目的とする注出し量の吐出口を有する中栓に取り替え、再びスナップヒンジキャップ（キャップ本体）を取り付ける必要があるところから、その注出し量の変更操作は極めて面倒なものとなるのであり、また中栓の取替えに時間が掛かることとなって、注出し量を容易に且つ迅速に切り替えることが出来ないことは勿論、容器内に液体等が収容されている状態の使用中において、吐出口の口径の異なる中栓に取り替えることは、実用上において、極めて困難である等の問題を内在している。
【０００７】
【特許文献１】特公昭６３−１７７０７号公報
【特許文献２】特開２００４−２９９７４４号公報
【特許文献３】特開２００５−１４９６８号公報
【発明の開示】
【発明が解決しようとする課題】
【０００８】
ここにおいて、本発明は、かかる事情を背景にして為されたものであって、その解決課題とするところは、注出し量の異なる二種の注口の選択が任意に、そして極めて容易に且つ迅速に実現され得る、コンパクトな構造の蓋付きキャップを提供することにある。
【課題を解決するための手段】
【０００９】
そして、本発明にあっては、かくの如き課題の解決のために、合成樹脂製の一体的な蓋付きキャップにして、（ａ）頂板部を上下に貫通して、該頂板部から上方に所定長さ突出する本体吐出筒部からなる大径の注口を備えた、容器の口頸部に取り付けられるキャップ本体と、（ｂ）頂板部を上下に貫通して、上方及び下方にそれぞれ所定長さで突出する蓋体吐出筒部からなる、前記大径の注口よりも開口径の小さな小径の注口を備えると共に、該キャップ本体の上部周縁部の一ヶ所において該キャップ本体に一体的に連結された第一のヒンジ部を有し、且つ該蓋体吐出筒部の下方への突出部分が該キャップ本体における前記大径の注口に液密に嵌合せしめられるように構成されている一方、該キャップ本体の上部周縁部に着脱可能に嵌着せしめられるように構成された第一の蓋体と、（ｃ）頂板部の下面から所定長さ垂下して、該第一の蓋体における前記小径の注口に液密に嵌合せしめられるように構成された筒状栓体を備えると共に、前記第一のヒンジ部とは周方向において異なる位置となるように、該第一の蓋体の上部周縁部に対してその一ヶ所において一体的に連結された第二のヒンジ部を有し、該第一の蓋体の上部周縁部に着脱可能に嵌着せしめられるように構成された第二の蓋体とを、有していることを特徴とする蓋付きキャップを、その要旨とするものである。
【００１０】
なお、このような本発明に従う蓋付きキャップの望ましい態様の一つによれば、前記第一及び第二のヒンジ部の配設部位に対してそれぞれ周方向において対称となる前記第一及び第二の蓋体の部位に、それぞれ、第一及び第二の指掛け部が一体的に設けられており、それら第一及び第二の指掛け部に対する操作によって、それら第一及び第二の蓋体がそれぞれ独立して開蓋せしめられるように構成されている。
【００１１】
そして、本発明あっては、そのような第一及び第二の指掛け部は、それぞれ、前記第一及び第二の蓋体の外周面から側方に突出せしめられた、周方向に所定長さの突起を含んで構成されていることが望ましいのである。
【００１２】
また、本発明に従う蓋付きキャップの望ましい態様の他の一つによれば、前記第一のヒンジ部と前記第二のヒンジ部とが、相互に周方向に９０°の位相差をもって配設されることとなる。
【００１３】
さらに、本発明に従う蓋付きキャップの他の望ましい態様によれば、前記キャップ本体と前記第一の蓋体と前記第二の蓋体とが、合成樹脂の一体成形操作により、一体的に形成されているものが、有利に用いられるのである。
【発明の効果】
【００１４】
このように、本発明に従う構造の蓋付きキャップにあっては、容器の口頸部に取り付けられるキャップ本体に対して、第一の蓋体及び第二の蓋体が順次積み重ねられるようにして、着脱可能に独立して嵌着せしめられ得る構造とされているところから、キャップ本体の外径サイズを実質的に変化させることなく、大小二つの注口を有する蓋付きキャップが、巧みに実現され得ることとなったのであり、従って、従来の蓋付きキャップに代えて、本発明に従う蓋付きキャップが、そのまま、従来からの容器の口頸部に取り付けられ得ることとなって、新たな容器を特別に作製する必要なく、大小二つの注出し量にて、容器内の液体等を吐出し得る蓋付きキャップが、有利に実現され得たのである。
【００１５】
しかも、そのような本発明に従う蓋付きキャップにあっては、キャップ本体に設けられた大径の注口と、第一の蓋体に設けられた小径の注口とが、第一の蓋体の開蓋操作によって、また第二の蓋体の開蓋操作によって、任意に、独立して選択され得るものであるところから、容器内の液体等を、大径の注口又は小径の注口を通じて、容易に且つ迅速に注ぎ出すことが出来ることに加えて、キャップ本体と第一の蓋体とを連結する第一のヒンジ部と、第一の蓋体と第二の蓋体とを連結する第二のヒンジ部とが、蓋付きキャップの周方向において異なる位置となるように配設されているところから、それら第一、第二の蓋体の同時的な開蓋を効果的に抑制しつつ、何れか一方の蓋体を、選択的に、極めて容易に開蓋せしめ得て、大径の注口又は小径の注口からの液体等の注出しを、簡単な操作によって、容易に行い得ることとなったのである。
【発明を実施するための最良の形態】
【００１６】
以下、本発明を更に具体的に明らかにするために、本発明の代表的な実施の形態について、図面を参照しつつ、詳細に説明することとする。
【００１７】
先ず、図１〜図１０は、本発明に従う蓋付きキャップの一実施形態を示している。そこにおいて、図１は、そのような蓋付きキャップ２の閉蓋状態を示す、二つの指掛け部の配設側から見た斜視説明図であり、また図２は、そのような閉蓋状態の蓋付きキャップ２の、図１とは異なる方向からの斜視説明図であって、二つのヒンジ部の配設側から見た図であり、更に図３は、二つの蓋体をそれぞれ開蓋せしめた状態にある蓋付きキャップ２を、図１と同様な方向から見た形態において示す斜視説明図である。そして、それらの図から明らかなように、本発明に従う蓋付きキャップ２は、キャップ本体４と、第一の蓋体６と、第二の蓋体８とから構成されてなる、合成樹脂製の一体的な構造を有している。
【００１８】
具体的には、図４に、二つの蓋体６，８を開蓋せしめてなる、図３に示される形態の蓋付きキャップ２の平面形態説明図が示され、また図５（ａ）には、そのような開蓋状態の蓋付きキャップ２の正面形態説明図が示され、更に図５（ｂ）には、図４におけるＶ−Ｖ断面説明図が示されているが、それらの図から明らかな如く、キャップ本体４は、有底円筒形状を呈し、その底壁部である頂板部（天板部）１０のほぼ中央部を上下に貫通して、かかる頂板部１０から上方に所定長さ突出する本体吐出筒部１２からなる大径の注口１４を有している。また、このキャップ本体４の筒壁部内面には、らせん状のネジ１６が刻設されて、所定の容器の口頸部外周面に設けられるネジ部に対して螺合せしめられることにより、キャップ本体４が、所定の容器に液密に取り付けられ得るようになっている。更に、かかるキャップ本体４の筒璧部外周面には、軸方向に延びる多数の山部と谷部が周方向に交互に設けられてなるローレット１８が、全周に亘って設けられており（図１〜図３参照）、更にその円筒部の上部に、ローレット１８を円弧状に切り欠いてなる面取り部２０が形成されている。
【００１９】
また、第一の蓋体６は、上記の図４及び図５に加えて、図４の形態における右側面図（但し、キャップ本体４省略）を示す図６（ａ）や、図４におけるVI−VI断面説明図である図６（ｂ）から明らかな如く、浅底の有底円筒形状を呈し、その頂板部２２のほぼ中央部位を上下に貫通して、上方及び下方にそれぞれ所定長さで突出する蓋体吐出筒部２４からなる小径の注口２６を有している。そして、かかる小径の注口２６は、前記キャップ本体４における大径の注口１４よりも、その注出し側の開口径が小さくされて、容器内から注ぎ出される液体等の収容物の注出し量が少なくなるように構成されている。なお、かかる蓋体吐出筒部２４は、図５（ｂ）及び図６（ｂ）から明らかなように、頂板部２２の下面から下方に延びる大径の下方筒部２４ａと、頂板部２２から上方に延びる小径の上方筒部２４ｂとから構成されており、後述するように、第一の蓋体６が、キャップ本体４の上部周縁部に嵌着せしめられるとき、本体吐出筒部１２の大径の注口１４内に、液密に嵌入せしめられ得るようになっている。
【００２０】
加えて、かかる第一の蓋体６は、キャップ本体４に対して、それに設けられた面取り部２０とは周方向において対称となる位置（１８０°の位相差を与える位置）において、図３や図４等に示される如く、所定幅を有する薄肉のフィルム状乃至はシート状の第一のヒンジ部２８によって、周方向に所定長さに亘って連結され、この第一のヒンジ部２８の屈曲作用によって、第一の蓋体６が、キャップ本体４上に嵌着されて、閉蓋状態とされる一方、キャップ本体４の上部から離脱させられて、開蓋せしめられ得るようになっている。なお、第一のヒンジ部２８は、よく知られているように、周方向中央の所定長さ部分の連結部２８ａと、その周方向両側に位置する、第一の蓋体６の回転を吸収するための弛みをもたせた弛み部２８ｂとから、一体的に構成されてなる構造とされている。また、そのような第一の蓋体６のキャップ本体４に対する脱着操作が容易となるように、第一の蓋体６の下部周縁部において、前記第一のヒンジ部２８が設けられた部位とは周方向において対称となる位置（約１８０°の位相差を与える位置）に、第一の蓋体６の外周面から側方、即ち径方向外方に突出せしめられた、周方向に所定長さで延びる突起３０が、第一の指掛け部の構成要素の一つとして、一体的に設けられている。即ち、第一の指掛け部は、ここでは、かかる突起３０と前記したキャップ本体４の面取り部２０とから構成され、開蓋操作のために指先が掛かり易くされているのである。
【００２１】
そして、このような第一の蓋体６を、図５に示される開蓋状態からキャップ本体４に嵌着せしめて、図１や図２に示される如き閉蓋状態とするには、図５の状態にある第一の蓋体６を、第一のヒンジ部２８を回転中心にして、反時計方向に回転せしめるようにすることによって、第一の蓋体６は、キャップ本体４上に位置せしめられるようになるのであり、そして、キャップ本体４の頂板部１０の外周部に設けられた段付き部に、第一の蓋体６が嵌合せしめられることにより、所定の嵌合力をもって、第一の蓋体６が、キャップ本体４の上部周縁部に着脱可能に嵌着されることとなるのである。また、そのような嵌着操作によって、キャップ本体４の本体吐出筒部１２の内孔（大径の注口１４）内に、第一の蓋体６の蓋体吐出筒部２４を構成する下方筒部２４ａが嵌入せしめられて、それら本体吐出筒部１２と蓋体吐出筒部２４とが、液密に接続せしめられるようになっているのである。なお、キャップ本体４からの第一の蓋体６の離脱は、第一の蓋体６に設けた第一の指掛け部を構成する突起３０に指先を掛けて、キャップ本体４に対して、第一の蓋体６を上方に押し上げるようにすれば、それらの間の嵌合が解除されて、第一の蓋体６は、第一のヒンジ部２８の屈曲により第一の蓋体６が時計方向回りに回動せしめられることにより、図５に示される如き開蓋状態に移行させられることとなる。
【００２２】
さらに、第二の蓋体８は、図３、図４及び図６から明らかなように、比較的浅底の有底円筒形態を呈するものであって、その頂板部３２の下面（裏面）の略中央部に、その下面から所定長さ垂下する筒状栓体３４を一体的に有している。そして、第一の蓋体６に対する第二の蓋体８の嵌着によって、この筒状栓体３４が、第一の蓋体６の蓋体吐出筒部２４における上方筒部２４ｂ（小径の注口２６）の外周部に、液密に嵌合せしめられ得るように構成されているのである（図１０参照）。
【００２３】
そして、図３、図４及び図６から明らかな如く、第二の蓋体８は、第一の蓋体６に対して、それに設けられた第一のヒンジ部２８とは周方向において異なる位置となるように、９０°の位相差をもって、所定幅のフィルム状乃至はシート状の屈曲可能な第二のヒンジ部３６によって、第一の蓋体６の上部周縁部の一ヶ所において、周方向所定長さに亘って一体的に連結されてなる構造とされている。なお、この第二のヒンジ部３６は、前記した第一のヒンジ部２８と同様な構成のものであって、中央の連結部３６ａと両側の弛み部３６ｂとから、一体的に構成されてなる構造とされている。
【００２４】
ところで、かかる第二の蓋体８を、第一の蓋体６上に嵌着せしめるに際しては、図６において、第二のヒンジ部３６を中心にして、第二の蓋体８を時計回りに回動させることによって、第二の蓋体８は、第一の蓋体６上に位置せしめられ、そして、第一の蓋体６の頂板部２２の外周部に設けられた段付き部に嵌合させられることにより、所定の嵌合力をもって、第一の蓋体６の上部周縁部に着脱可能に嵌着せしめられる一方、第一の蓋体６の蓋体吐出筒部２４における上方筒部２４ｂに対して、第二の蓋体８の頂板部３２の下面に設けられた筒状栓体３４が、液密に嵌合せしめられて、図１及び図２に示される如き、第二の蓋体８による閉蓋状態が形成されるのである。また、かかる第二の蓋体８は、図４や図６から明らかなように、第二のヒンジ部３６の配設部位に対して周方向において対称となる側面部位に、円弧状の凹所３８が形成されていると共に、この円弧形状の凹所３８の上部周縁部に沿って円弧状に所定長さ延びる、側方に突出した突起４０が設けられており、それら凹所３８と突起４０によって、第二の指掛け部が構成されている。なお、そのような指掛け部における凹所３８内には、第二の蓋体８の周方向に延びる三つの山部が、上下方向の段付き構造において形成されて、第二の蓋体８の開蓋操作に際して、突起４０に対する指掛け時に、指先が効果的に係止され得るようになっている。また、そのような閉蓋状態から、第二の蓋体８の開蓋状態に移行せしめるには、第二の蓋体８に設けられた円弧形状の突起４０に指先部を掛けて、第二の蓋体８を、第一の蓋体６に対して相対的に上方に押し上げるようにすることによって、かかる第二の蓋体８の第一の蓋体６に対する嵌着が解除されて、後述する図７や図８に示される開蓋状態に移行せしめられるのである。
【００２５】
かくの如き構成の蓋付きキャップ２において、それが、所定の容器の口頸部に螺合されて、取り付けられた状態において、かかる容器内の液体等の収容物を、第一の蓋体６の小径の注口２６から注ぎ出す場合にあっては、第二の蓋体８の第二の指掛け部を構成する突起４０に対して指先を掛けて、第一の蓋体６との間において、相対的に上方に押し上げる力を作用せしめることにより、第一の蓋体６に対する第二の蓋体８の嵌着が解除されて、第二のヒンジ部３６によって、第二の蓋体８が回動せしめられることとなり、以て、図７及び図８に示されるように、第二の蓋体８の開蓋状態が形成された後、小径の注口２６を通じて、容器内の液体等が外部に注ぎ出されることとなる。
【００２６】
なお、その際、第一の蓋体６は、図８に示されるように、キャップ本体４に嵌着せしめられていると共に、その蓋体吐出筒部２４の下方筒部２４ａが、キャップ本体４の本体吐出筒部１２内に嵌入されて、それら本体吐出筒部１２と下方筒部２４ａとが液密に接続されているところから、かかる本体吐出筒部１２によって与えられる大径の注口１４が、第一の蓋体６の蓋体吐出筒部２４によって与えられる小径の注口２６に接続されて、所定の容器内の液体等が、かかる小径の注口２６から、容器内の液体等が外部に注ぎ出され得るようになっているのである。
【００２７】
また、キャップ本体４に設けた本体吐出筒部１２によって与えられる大径の注口１４から、容器内の液体等を大きな注出し量において外部に注ぎ出す場合にあっては、第一の蓋体６に設けた突起３０に対して指先を掛け、キャップ本体４から離隔するように、上方に向かって力を加えることにより、キャップ本体４に対する第一の蓋体６の嵌着が解除され、そして、第一のヒンジ部２８の屈曲による更なる回動によって、図９及び図１０に示される如き開蓋状態とされた後、容器内の液体等が大径の注口１４から外部に注ぎ出されることとなる。なお、この際、第一の蓋体６と第二の蓋体８とは、互いに嵌着せしめられた状態において、第一のヒンジ部２８によって一体的に回動されて、図示の如き形態となるように構成されている。
【００２８】
ところで、このような構造の蓋付きキャップ２は、例えば、ポリエチレンやポリプロピレン等の合成樹脂を用いた通常の一体成形操作により、合成樹脂製の一体的な蓋付きキャップとして、有利に製造することが出来る特徴を有している。具体的には、図４に示される平面形態を有する蓋付きキャップ２を与える金型の成形キャビティ内に、所定の合成樹脂を射出して、成形を行うことにより、目的とする蓋付きキャップ２が、一挙に形成され得るのであり、以て、その製作コストの低減に、効果的に寄与し得ることとなる。
【００２９】
このように、図面に示される本発明に従う蓋付きキャップ２にあっては、キャップ本体４と第一の蓋体６と第二の蓋体８とが一体的に構成されて、分離することのない構造とされていることに加えて、それらが上下方向に積み重ねられて、相互に嵌着せしめられ得るようにして、容器の口頸部に取り付けられるキャップ本体４が、従来の蓋付きキャップと同様なサイズを採り得るようにした構造とされているところから、極めてコンパクトな構造と為し得て、その大型化が有利に回避され得ることとなったのであり、それ故に、従来の蓋付きキャップに代えて、例示の蓋付きキャップ２を、そのまま用いて、目的とする容器の口頸部に取り付けることが出来ることとなったのである。
【００３０】
また、かかる例示の蓋付きキャップ２にあっては、第一の蓋体６を開蓋するか、或いは第二の蓋体８を開蓋するか、何れかを選択することによって、大径の注口１４を通じての液体等の注出しを行うか、或いは小径の注口２６を通じての液体等の注出しを行うか、その注出し量を任意に選択することが出来、しかも、その選択は、極めて容易に行い得るところから、容器からの液体等の注出し操作を、極めて簡単に且つ迅速に行い得るのである。
【００３１】
しかも、キャップ本体４と第一の蓋体６とを連結する第一のヒンジ部２８と、第一の蓋体６と第二の蓋体８とを連結する第二のヒンジ部２８とが、キャップ周方向において、より具体的には、第一の蓋体６の周方向において、所定の位相差をもって、異なる周方向部位に位置するように設けられているところから、第一の蓋体６の開蓋操作と、第二の蓋体８の開蓋操作を、独立して有効に実施することが出来、それら二つの開蓋操作が、同時的に行われることが、効果的に阻止乃至は抑制され得るようになっている。
【００３２】
さらに、そこでは、そのような第一及び第二の蓋体６，８の開蓋操作に際して、それら蓋体６，８には、それぞれ、第一及び第二の指掛け部を与える突起３０，４０が設けられているところから、それら突起３０，４０に指先を掛けて、単に上方に押し上げるようにすることによって、それぞれの蓋体６，８を別個に独立して開蓋せしめることが、より一層容易に行い得るという特徴も有している。
【００３３】
なお、本発明に従う蓋付きキャップは、上記例示の実施形態に係る具体的な記述によって、何等限定的に解釈されるものでは決してなく、本発明が、当業者の知識に基づいて、種々なる変更、修正、改良等を加えた態様において実施され得るものであり、また、そのような実施の態様が、本発明の趣旨を逸脱しない限りにおいて、何れも、本発明の範疇に属するものであることが、理解されるべきである。
【００３４】
例えば、例示の蓋付きキャップ２では、所定の容器の口頸部に対する取付けが、キャップ本体４の螺合構造において行われるようになっているが、その他、公知の各種の取付け構造が適宜に採用され得るものであることは、言うまでもないところである。
【００３５】
また、キャップ本体４と第一の蓋体６とを連結する第一のヒンジ部２８や、第一の蓋体６と第二の蓋体８とを連結する第二のヒンジ部３６の構造にあっても、例示のものの他、公知の各種のヒンジ構造が、適宜に採用され得るところであり、例えば、先に指摘せる特許文献１〜３に明らかにされている如きヒンジ構造や、実開昭６１−１５３７５３号公報、実開昭６２−９３０４９号公報、特開２００１−１８０７１１号公報、特開２００１−２３３３６７号公報等に明らかにされている如きヒンジ構造も、また、適宜に選択使用することが可能である。
【００３６】
さらに、それら第一のヒンジ部２８や第二のヒンジ部３６の配設位置にあっても、本発明の趣旨に従い、キャップの周方向において異なる位置となるように、適宜に選定され得るものであるが、特に、第一及び第二の蓋体６，８の相互に独立した開蓋操作を有利に行わしめる上において、それら二つのヒンジ部２８，３６は、キャップの周方向において、一般に４５°以上、好ましくは６０°以上、特に好ましくは８０°以上の位相差をもって、設けられていることが望ましく、またその上限としては、一般に１８０°以下、好ましくは１７０°以下、特に好ましくは１６０°以下とすることが、望ましい。
【図面の簡単な説明】
【００３７】
【図１】本発明に従う蓋付きキャップの一例を示す、閉蓋状態における斜視説明図である。
【図２】図１に示される蓋付きキャップの異なる方向から見た斜視説明図である。
【図３】図１に示される蓋付きキャップについて、その第一及び第二の蓋体をそれぞれ開蓋せしめてなる状態を示す斜視説明図である。
【図４】図３に示される開蓋状態の蓋付きキャップについて、その平面形態を示す平面説明図である。
【図５】図４に示される蓋付きキャップについて説明する図であって、（ａ）は、その正面説明図であり、（ｂ）は、図４におけるＶ−Ｖ断面説明図である。
【図６】図４に示される蓋付きキャップについて、その右側面形態を説明する図であって（但し、キャップ本体は省略）、（ａ）は、その右側面説明図であり、（ｂ）は、図４におけるVI−VI断面説明図である。
【図７】図１に示される蓋付きキャップについて、その第二の蓋体を開蓋せしめてなる形態を示す斜視説明図である。
【図８】図７におけるVIII−VIII断面説明図である。
【図９】図１に示される蓋付きキャップについて、その第一の蓋体を開蓋せしめてなる形態を示す斜視説明図である。
【図１０】図９におけるＸ−Ｘ断面説明図である。
【符号の説明】
【００３８】
２  蓋付きキャップ                     ４  キャップ本体
６  第一の蓋体                         ８  第二の蓋体
１０，２２，３２  頂板部               １２  本体吐出筒部
１４  大径の注口                       １６  ネジ
１８  ローレット                       ２０  面取り部
２４  蓋体吐出筒部                     ２４ａ  下方筒部
２４ｂ  上方筒部                       ２６  小径の注口
２８  第一のヒンジ部                   ２８ａ，３６ａ  連結部
２８ｂ，３６ｂ  弛み部                 ３０，４０  突起
３４  筒状栓体                         ３６  第二のヒンジ部
３８  凹所
【図１】
2008222277.tif 000003
【図２】
2008222277.tif 000004
【図３】
2008222277.tif 000005
【図４】
2008222277.tif 000006
【図５】
2008222277.tif 000007
【図６】
2008222277.tif 000008
【図７】
2008222277.tif 000009
【図８】
2008222277.tif 000010
【図９】
2008222277.tif 000011
【図１０】
2008222277.tif 000012